(57)【要約】【課題】棒状化粧料の折損を防止すると共に、使い勝手を向上させることができる棒状化粧料繰出容器を提供する。【解決手段】先筒と容器本体の相対回転によって、螺合部の螺合作用が働いて移動体が進退し、移動体の進退に伴って棒状化粧料Ｍが先筒の前端３ｈから出没する棒状化粧料繰出容器であって、先筒の内周面には、凹部３ｊがホールド部３ｄにまで延びており、棒状化粧料Ｍの外周面には、凹部３ｊに保持される凸部Ｍ４が形成されており、前側から見た棒状化粧料Ｍの形状は、ホールド部３ｄとの対向部分Ｍ３から離間するに従って先細りする形状とされており、前側から見たときにおける棒状化粧料Ｍの対向部分Ｍ３の幅Ａは、前側から見たときにおけるホールド部３ｄの幅Ｂと略同一である。【選択図】図８
2018202144.tif 000002
【特許請求の範囲】
【請求項１】
容器前部、及び前記容器前部に軸線周りに回転可能且つ軸線方向に移動不能に装着された容器後部、を備えた筒状の容器と、
前記容器前部に対し軸線方向に移動可能とされ、先端で棒状化粧料を保持すると共に、外周に雄螺子を有する移動体と、
前記容器後部に対し軸線周りに回転不能とされ、内周に前記雄螺子に螺合する雌螺子を有する雌螺子部材と、
を備え、
前記容器前部と前記容器後部の相対回転によって、前記雄螺子及び前記雌螺子によって構成された螺合部の螺合作用が働いて前記移動体が進退し、前記移動体の進退に伴って前記棒状化粧料が前記容器前部の前端から出没する棒状化粧料繰出容器であって、
前記容器前部は、前記前端から後方に向かって切り欠かれると共に前記棒状化粧料を保持するホールド部を有し、
前記ホールド部は、前側に向かうに従って先細りする形状とされており、
前記容器前部の内周面には、軸線方向に延在する凹部及び凸部の一方が前記ホールド部にまで延びており、
前記棒状化粧料の外周面には、軸線方向に延在すると共に前記一方に保持される前記凹部及び凸部の他方が形成されており、
前側から見た前記棒状化粧料の形状は、前記ホールド部との対向部分から離間するに従って先細りする形状とされており、
前側から見たときにおける前記棒状化粧料の前記対向部分の幅は、前側から見たときにおける前記ホールド部の幅と略同一である、
棒状化粧料繰出容器。
【請求項２】
前記容器前部の内周面には、軸線方向に延在する前記凹部が形成されており、
前記棒状化粧料の外周面には、軸線方向に延在すると共に前記凹部に保持される前記凸部が形成されており、
前側から見たときにおける前記凸部の前記凹部に入り込んだ部分の幅は、前側から見たときにおける前記凹部の開口部の幅よりも広い、
請求項１に記載の棒状化粧料繰出容器。
【請求項３】
棒状化粧料を繰り出す棒状化粧料繰出容器であって、
軸を有する容器本体と、
塗布面と前記塗布面の反対側を向く接触面とを有する棒状化粧料と、
前記容器本体に動作可能に係合すると共に、前記容器本体の前記軸に沿って前記棒状化粧料を移動させる移動体と、
前記棒状化粧料を支持すると共に前記容器本体の前記軸に沿って延びる支持部を有し、前記容器本体から延び出す配置部と、
を備え、
前記支持部は、前記棒状化粧料の前記接触面に係合するガイドを有し、
前記支持部の幅は、前記棒状化粧料の幅と同一、又は前記棒状化粧料の幅よりも狭い、
棒状化粧料繰出容器。
【請求項４】
前記支持部の幅は１ｍｍ以上且つ３ｍｍ以下であり、前記棒状化粧料の幅は１ｍｍ以上且つ３ｍｍ以下であり、
前記支持部の幅と、前記棒状化粧料の幅との差は、１ｍｍ以下である、
請求項３に記載の棒状化粧料繰出容器。
【請求項５】
前記配置部は前記容器本体の反対側に前端を有し、前記前端は前記支持部を有し、前記支持部の幅は前記配置部の前記前端の幅である、
請求項３に記載の棒状化粧料繰出容器。
【請求項６】
前記棒状化粧料の接触面は溝を有し、
前記支持部のガイドは、Ｔ字状の断面となるように前記棒状化粧料の前記溝に入り込み前記支持部の中央部に沿って延びる舌状突起を有する、
請求項３に記載の棒状化粧料繰出容器。
【請求項７】
前記ガイドは、Ｕ字状の断面となるように、前記支持部から前記棒状化粧料に向かって突出する一対の突出部を有する、
請求項３に記載の棒状化粧料繰出容器。
【請求項８】
前記突出部は、前記棒状化粧料の接触面に接触する表面を有し、
前記ガイドは、前記突出部の前記表面に対して凹むと共に一対の前記突出部の間に位置する中央凹部を有し、
前記中央凹部は、平面と、前記平面に対して垂直に延びる突出面とを有する、
請求項７に記載の棒状化粧料繰出容器。
【請求項９】
前記棒状化粧料の幅は、前記接触面に隣接する部位から前記塗布面の頂部に向かうに従って狭くなる、
請求項３に記載の棒状化粧料繰出容器。
【請求項１０】
接触面の反対側を向く塗布面を有する棒状化粧料を繰り出す棒状化粧料繰出容器であって、
軸を有する容器本体と、
前記容器本体に動作可能に係合すると共に、前記容器本体の前記軸に沿って前記棒状化粧料を移動させる移動体と、
前記容器本体から延びると共に、前記容器本体の前記軸に沿って延びており支持部を出口に有する配置部と、
を備え、
前記支持部は、前記棒状化粧料の前記接触面に係合する支持面を有し、
前記支持面は、前記容器本体の前記軸に平行に延びる中央部と、前記中央部のそれぞれの側部において前記中央部に対して段差を有する側方段差部と、を有する、
棒状化粧料繰出容器。
【発明の詳細な説明】
【技術分野】
【０００１】
本発明は、棒状化粧料を繰り出す棒状化粧料繰出容器に関する。
【背景技術】
【０００２】
従来の棒状化粧料繰出容器としては、例えば特開２００１−２１８６２１号公報に記載されたものが知られている。この公報には、棒状化粧材を収容する先筒と、先筒に対して相対回転可能に嵌合する容器本体と、を備えた棒状化粧料繰出容器が記載されている。棒状化粧料繰出容器では、容器本体を先筒に対して相対回転させることにより、先筒に形成された切欠きから棒状化粧料が出没する。
【０００３】
先筒の切欠きは先筒の先端から後方に延びるように形成されており、棒状化粧材は当該切欠きの径方向反対側に位置する先端部に保持される。また、棒状化粧材は、先端部に対向した状態において、先筒の当該切欠きから露出する。棒状化粧材は、先筒から突出していない状態において、切欠きに露出した部位が使用可能とされている。このように棒状化粧材の切欠きに露出した部位を使用できることにより、棒状化粧材の安定した使用を図っている。
【先行技術文献】
【特許文献】
【０００４】
【特許文献１】特開２００１−２１８６２１号公報
【発明の概要】
【発明が解決しようとする課題】
【０００５】
前述した棒状化粧料繰出容器では、先筒の切欠きから棒状化粧料が露出している。よって、棒状化粧料に対し前述した先端部側に力がかかる場合には、棒状化粧料が先端部に保持されることになるので棒状化粧料を安定して使用可能である。しかしながら、先端部側以外の方向から棒状化粧料に力がかかる場合には、棒状化粧料が振れると共に折損を引き起こすという問題が発生しうる。
【０００６】
また、前述した棒状化粧料繰出容器では、先端部が棒状化粧料の外周を周方向に囲むように配置されている。よって、棒状化粧料繰出容器の使用者が棒状化粧料で化粧を行うときに、棒状化粧料と共に当該先端部が使用者の視界に入ることになる。従って、先端部が邪魔になることによって化粧を施す場所が見えづらくなることがある。このように、先筒の先端部が化粧を施すときに視界に入るので、使用者に対してストレスを感じさせるという問題が発生しうる。このように、現状の棒状化粧料繰出容器では、使い勝手の点において改善の余地がある。
【０００７】
本発明は、棒状化粧料の折損を防止すると共に、使い勝手を向上させることができる棒状化粧料繰出容器を提供することを目的とする。
【課題を解決するための手段】
【０００８】
本発明に係る棒状化粧料繰出容器は、容器前部、及び容器前部に軸線周りに回転可能且つ軸線方向に移動不能に装着された容器後部、を備えた筒状の容器と、容器前部に対し軸線方向に移動可能とされ、先端で棒状化粧料を保持すると共に、外周に雄螺子を有する移動体と、容器後部に対し軸線周りに回転不能とされ、内周に雄螺子に螺合する雌螺子を有する雌螺子部材と、を備え、容器前部と容器後部の相対回転によって、雄螺子及び雌螺子によって構成された螺合部の螺合作用が働いて移動体が進退し、移動体の進退に伴って棒状化粧料が容器前部の前端から出没する棒状化粧料繰出容器であって、容器前部は、前端から後方に向かって切り欠かれると共に棒状化粧料を保持するホールド部を有し、ホールド部は、前側に向かうに従って先細りする形状とされており、容器前部の内周面には、軸線方向に延在する凹部及び凸部の一方がホールド部にまで延びており、棒状化粧料の外周面には、軸線方向に延在すると共に当該一方に保持される凹部及び凸部の他方が形成されており、前側から見た棒状化粧料の形状は、ホールド部との対向部分から離間するに従って先細りする形状とされており、前側から見たときにおける棒状化粧料の当該対向部分の幅は、前側から見たときにおけるホールド部の幅と略同一である。
【０００９】
この棒状化粧料繰出容器によれば、容器前部が棒状化粧料を保持するホールド部を備えると共に、軸線方向に延在する凹部及び凸部の一方がホールド部にまで延びている。また、棒状化粧料の外周面には、軸線方向に延在すると共に上記一方に保持される凹部及び凸部の他方が形成されている。よって、ホールド部の上記凹部及び凸部の一方に、棒状化粧料の上記凹部及び凸部の他方が保持されるので、凹部に凸部が保持されることによってホールド部で棒状化粧料を強固に保持することができる。従って、どの方向から棒状化粧料に力がかかっても、凹部への凸部の保持によって棒状化粧料を強固に保持することができるので、棒状化粧料の振れを抑えて棒状化粧料の折損を防止することができる。また、前側から見た棒状化粧料の形状は、ホールド部との対向部分から離間するに従って先細りする形状とされており、前側から見たときの棒状化粧料の上記対向部分の幅が、前側から見たときのホールド部の幅と略同一とされている。よって、ホールド部の幅が棒状化粧料の幅と略同一とされていることにより、化粧を施すときにホールド部を視界に入りにくくすることができる。従って、ホールド部が視界に入らないことによって化粧を施す場所が見えやすくなり、使用者に対してストレスを感じさせにくくすることができる。このため、使い勝手を向上させることができる。
【００１０】
また、容器前部の内周面には、軸線方向に延在する凹部が形成されており、棒状化粧料の外周面には、軸線方向に延在すると共に凹部に保持される凸部が形成されており、前側から見たときにおける凸部の凹部に入り込んだ部分の幅は、前側から見たときにおける凹部の開口部の幅よりも広くてもよい。この場合、棒状化粧料に対し、凹部から棒状化粧料が抜ける方向への力が働いたときに、凹部の内側面に凸部の外側面が接触することにより、凹部からの凸部の抜け及び折損をより確実に抑制することができる。すなわち、凹部から凸部が抜ける方向への力に対する棒状化粧料の耐性を高めることができるので、棒状化粧料の折損を一層確実に抑制することができる。
【発明の効果】
【００１１】
本発明によれば、棒状化粧料の折損を防止すると共に、使い勝手を向上させることができる。
【図面の簡単な説明】
【００１２】
【図１】第１実施形態に係る棒状化粧料繰出容器の外観を示す側面図である。
【図２】図１の棒状化粧料繰出容器の縦断面図である。
【図３】（ａ）及び（ｂ）は、図１の棒状化粧料繰出容器の先筒を示す斜視図である。
【図４】図１の棒状化粧料繰出容器のバネ部材を示す斜視図である。
【図５】図１の棒状化粧料繰出容器の雌螺子部材を示す斜視図である。
【図６】図１の棒状化粧料繰出容器の移動体を示す斜視図である。
【図７】図３の先筒及び棒状化粧料を拡大して示す斜視図である。
【図８】図７の先筒のホールド部、及び棒状化粧料を前側から見た図である。
【図９】第２実施形態に係る棒状化粧料繰出容器の先筒のホールド部、及び棒状化粧料を前側から見た図である。
【図１０】図８の変形例に係るホールド部及び棒状化粧料を前側から見た図である。
【図１１】図９の変形例に係るホールド部及び棒状化粧料を前側から見た図である。
【図１２】他の実施形態に係るホールド部及び棒状化粧料を前側から見た図である。
【発明を実施するための形態】
【００１３】
以下、本発明に係る棒状化粧料繰出容器の実施形態について図面を参照しながら詳細に説明する。図面の説明において、同一又は相当する要素には同一の符号を付し、重複する説明を適宜省略する。
【００１４】
（第１実施形態）
図１及び図２に示されるように、第１実施形態に係る棒状化粧料繰出容器１（繰出容器、又は容器とも称される）は、全体形状が筆記具の如き細長い丸棒状を成し良好な外観を呈するもので、キャップＣ１の内部に棒状化粧料Ｍ（化粧料とも称される）を含んでいる。棒状化粧料繰出容器１では、キャップＣ１を取り外した状態で直ちに棒状化粧料Ｍによって化粧を行うことができるものである。一例として、棒状化粧料Ｍはアイブロウであり、棒状化粧料繰出容器１はアイブロウ繰出容器である。
【００１５】
例えば、棒状化粧料繰出容器１は、容器前部を構成すると共に棒状化粧料が配置される配置部を構成する先筒３、及び容器後部を構成する容器本体４を含む筒状の容器２と、先筒３の内部に収容された移動体５と、容器本体４の内部に収容されたバネ部材６と、バネ部材６の内部に収容された雌螺子部材７と、容器本体４の後方に設けられたブラシ部８と、ブラシ部８を覆うと共に容器本体４に対して着脱自在とされたキャップＣ２とを備える。
【００１６】
本明細書において、「軸」及び「軸線」とは、棒状化粧料繰出容器１の前後に延びる中心線を示しており、「軸線方向」とは、前後方向であって且つ軸線に沿った方向を示している。また、棒状化粧料Ｍの繰り出し方向を前方（前進する方向）とし、棒状化粧料Ｍの繰り戻し方向を後方（後退する方向）とする。
【００１７】
図３（ａ）及び図３（ｂ）に示されるように、先筒３は、全体として細長い丸棒状に形成されている。先筒３は、軸線方向の中央付近の外周面において前側に（例えば、前端に向かって）拡径する段差部３ａを有する段付き円筒状とされている。先筒３の外周面において、段差部３ａより後側は円筒部３ｓ（後部、又は容器本体との接続部とも称される）とされており、段差部３ａより前側は前方に向かうに従って徐々に傾斜しながら縮径する傾斜面３ｃ（前部、又はアプリケーション部とも称される）とされている。
【００１８】
先筒３の傾斜面３ｃの前側には、棒状化粧料Ｍを保持するホールド部３ｄ（支持部、又は支持部材とも称される）が設けられている。ホールド部３ｄは、先筒３の側面の片側が容器本体４の軸線に沿って切り欠かれた形状とされている。この切り欠き（先筒の切り欠かれた領域の輪郭又は外形）は、先筒３の開口を形成している。ホールド部３ｄは、先筒３の側面の片側が切り欠かれると共に、先筒３の前端３ｈから後方に延在している。ホールド部３ｄは、棒状化粧料Ｍの接触面に係合するガイドを有する。このガイドは、凹部（例えば、断面がＵ字状の凹部）、又は凸部（例えば、断面がＴ字状の凸部）を有していてもよい。ホールド部３ｄについては後に詳述する。
【００１９】
先筒３の段差部３ａより後側の円筒部３ｓは、筒状とされたバネ部材６の内部に挿入される部位である。段差部３ａより前側の傾斜面３ｃは、外部に露出する部位である。また、傾斜面３ｃは、容器本体４から突出する部位である。先筒３の後側の外周面には、バネ部材６に対して回転可能且つ軸線方向に移動不能に係合する環状凹凸部３ｂが形成されている。環状凹凸部３ｂは、バネ部材６に対する軸線方向への相対移動を抑えると共にバネ部材６に対して回転可能に結合する。
【００２０】
図２及び図４に示されるように、バネ部材６は略円筒状に形成されている。バネ部材６の後側の内周面には、先筒３の環状凹凸部３ｂが軸線方向に係合する環状凸部６ｊが形成されている。バネ部材６は、落下時等の外力作用時に、棒状化粧料繰出容器１の内部に伝わる衝撃を緩和し、棒状化粧料繰出容器１を保護する機能を有する。
【００２１】
バネ部材６の前端６ｍは、先筒３の段差部３ａに後方から突き当てられる。バネ部材６は、その軸線方向の前側に設けられた鍔部６ａと、鍔部６ａよりも前側に位置する前側筒部６ｂと、鍔部６ａよりも後側に位置する後側筒部６ｃとを備える。前側筒部６ｂの外周面には、キャップＣ１を装着させるための半球状の突起６ｄが形成されている。突起６ｄは、例えば、３個形成されており、３個の突起６ｄはバネ部材６の周方向に等間隔に配置されている。
【００２２】
バネ部材６の後側筒部６ｃは、その外周面に形成された環状凸部６ｅと、環状凸部６ｅの後方に位置するバネ部６ｆとを有する。バネ部６ｆは、軸線方向に伸縮可能とされている所謂樹脂バネである。バネ部６ｆは、その周面に沿って螺旋状に延び且つ内外を連通するスリット６ｇを本体部６ｈに形成することによって構成されている。バネ部６ｆは、外力が作用したときに伸縮することによって衝撃を緩和する。
【００２３】
鍔部６ａは、容器本体４の内周面の前端に形成された環状凹部４ａに係合する。また、環状凸部６ｅは、環状凹部４ａよりも後側に位置する環状凹部４ｂに軸線方向に係合する。容器本体４は、先筒３に対して軸線周りに回転可能且つ軸線方向に移動不能に装着される。また、容器本体４の内側であって且つバネ部材６の後方には、バネ部材６の後端が突き当てられる環状突出部４ｃと、環状突出部４ｃの後側で雌螺子部材７が回転方向に係合するローレット４ｄとが設けられる。
【００２４】
図２及び図５に示されるように、雌螺子部材７は、略円筒状に形成されている。雌螺子部材７の外周面の後側には、容器本体４のローレット４ｄが回転方向に係合するものとして、軸線方向に延びると共に周方向に沿って並設された突条７ａが設けられる。雌螺子部材７は、突条７ａがローレット４ｄに回転方向に係合することにより、容器本体４に対し同期回転可能（回転不能）とされている。
【００２５】
雌螺子部材７は、例えばＰＯＭ（ポリアセタール）によって構成される。雌螺子部材７の突条７ａよりも前側の外周面には、先筒３の後端に後方から突き当たる鍔部７ｂと、先筒３が軸線方向に係合する環状凹部７ｃ及び環状凸部７ｄと、が設けられる。環状凹部７ｃは、先筒３の内周面に形成された環状凸部３ｔに軸線方向に係合し、環状凸部７ｄは、先筒３の内周面に形成された環状凹部３ｖに軸線方向に係合する。また、雌螺子部材７の後側の内周面には、螺合部１０の一方を構成する雌螺子として機能する雌螺子部７ｅが設けられており、雌螺子部７ｅには移動体５の後端部が螺合する。
【００２６】
図２及び図６に示されるように、移動体５は、その先端で棒状化粧料Ｍを支持する棒状化粧料支持体である。移動体５は、容器本体４に動作可能に係合すると共に、容器本体４の軸に沿って棒状化粧料Ｍを移動させる。移動体５は、先筒３及び雌螺子部材７の内部に配置されて軸線方向に延在する。移動体５は、先筒３に対し軸線方向に移動可能とされており、全体として丸棒状を成している。移動体５は、例えばＰＢＴ（ポリブチレンテレフタレート）によって構成される。
【００２７】
移動体５は、その後端部の外周面に、螺合部１０の他方を構成する雄螺子として機能する螺合突起５ａを備える。移動体５は、螺合突起５ａより前側に位置する丸棒状の軸体部５ｂと、移動体５の前端に設けられて棒状化粧料Ｍの後端部を支持する支持部５ｃと、を備える。
【００２８】
支持部５ｃは、棒状化粧料Ｍの後端面が突き当てられる基部５ｇと、棒状化粧料Ｍの後端部を支持する２つの第１支持片５ｄと、１つの第２支持片５ｆとを備える。第１支持片５ｄ及び第２支持片５ｆは、基部５ｇの外周面に沿うと共に前方に突出している。２つの第１支持片５ｄは、基部５ｇから一対に突出しており、各第１支持片５ｄの内側面には軸線方向に延びるリブ５ｅが設けられる。
【００２９】
第２支持片５ｆは、移動体５の径方向における２つの第１支持片５ｄの反対側において、棒状化粧料Ｍを囲むように曲線状に湾曲している。棒状化粧料Ｍは、その後端部が２つの第１支持片５ｄ及び第２支持片５ｆの間に嵌め込まれることによって支持される。
【００３０】
次に、図７及び図８を参照しながら棒状化粧料Ｍ及び先筒３について詳細に説明する。前述したように、先筒３（配置部）は、棒状化粧料Ｍ（例えば棒状化粧料Ｍの塗布端）を保持するホールド部３ｄを前端に備えている。ホールド部３ｄは、先筒３の側面の径方向片側が切り欠かれることによって形成されており、先筒３の前端３ｈから後方に向かって切り欠かれている。
【００３１】
ホールド部３ｄは、前側（前端）に向かうに従って先細りする形状とされている。ホールド部３ｄは、傾斜面３ｃの前端で切り欠かれた先筒３の前端の端面を含んで形成される。ホールド部３ｄは、傾斜面３ｃから先筒３の径方向一方側（図７及び図８における下側）に延びて湾曲する第１湾曲部３ｅと、第１湾曲部３ｅの前端から軸線方向に延びる延在部３ｆと、延在部３ｆの前端から先筒３の径方向一方側に湾曲する第２湾曲部３ｇと、を含む。
【００３２】
第１湾曲部３ｅは、傾斜面３ｃから径方向一方側に折り曲げられると共に、径方向一方側に向かうに従って徐々に軸線方向に湾曲している。第１湾曲部３ｅ、延在部３ｆ及び第２湾曲部３ｇ（ホールド部３ｄ）の軸線方向の長さは、例えば、３ｍｍ以上且つ１５ｍｍ以下である。また、第２湾曲部３ｇの前端３ｈは、先筒３の棒状化粧料Ｍが出没する部位とされている。第２湾曲部３ｇは、延在部３ｆから前端３ｈに向かうに従って徐々に径方向一方側に湾曲している。第１湾曲部３ｅ、延在部３ｆ、第２湾曲部３ｇ及び前端３ｈは、配置部（先筒３）の棒状化粧料Ｍの出口の輪郭を画成している。
【００３３】
図８に示されるように、第１湾曲部３ｅ、延在部３ｆ及び第２湾曲部３ｇは、前側から（例えば前端から）見た棒状化粧料Ｍに対して左右一対に設けられる。左右一対の延在部３ｆ及び第２湾曲部３ｇは、ホールド部３ｄがＵ字状の断面を有するように、ホールド部３ｄの凹部３ｊの縁に沿って延びると共に棒状化粧料Ｍに向かって突出する一対の突出部を形成する。前側から見た状態において、一対の第２湾曲部３ｇの内側面と前端３ｈの内側面とによって凹部３ｊが形成されている。凹部３ｊは、先筒３の内周面において軸線方向に延在しておりホールド部３ｄにまで延びている。ホールド部３ｄのガイドは、凹部３ｊを形成する一対の突出部を有する。この突出部は、棒状化粧料Ｍの接触面と接触する左右一対の延在部３ｆの表面（上面）を有する。前端３ｈの内面には当該ガイドの中央凹部が、当該突出部の表面に対して凹むように形成される。当該中央凹部は、例えば、平面と、当該平面に対して垂直に延びる突出面とを有する。前述したガイドは、延在部３ｆの表面が中央部（例えば、上記の中央凹部）に対する段差であって当該中央部の各側方に位置する側方段差部を有する支持面に沿って延びている。側方段差部は、実質平面によって構成される。中央凹部と側方段差部の実質平面は、容器本体４の軸に対して平行に延びている。当該一対の突出面は、中央部に対して実質垂直に延びると共に、それぞれ中央部と延在部３ｆの表面との間に位置する壁面を構成する。
【００３４】
ホールド部３ｄにおいて、棒状化粧料Ｍは、第１湾曲部３ｅから前方に延びると共に延在部３ｆの前側において径方向一方側に湾曲している。前側から見た状態において、棒状化粧料Ｍは、ホールド部３ｄとの対向部分Ｍ３から離間するに従って先細りする形状とされている。
【００３５】
ホールド部３ｄにおいて、棒状化粧料Ｍは、頂部Ｍ１と、頂部Ｍ１から左右両側且つ延在部３ｆ側に湾曲して延びる一対の湾曲部Ｍ２と、前述した一対の対向部分Ｍ３と、一対の対向部分Ｍ３の間から突出する凸部Ｍ４と、を備えている。頂部Ｍ１は、延在部３ｆから最も離れた箇所に位置する。湾曲部Ｍ２は、例えば、楕円の外周に沿った形状とされている。対向部分Ｍ３は、各湾曲部Ｍ２の頂部Ｍ１との反対側に位置する。棒状化粧料Ｍは、前述したように、塗布面と、当該塗布面の反対側を向く接触面とを有する。塗布面は湾曲部Ｍ２と頂部Ｍ１とを含み、接触面は対向部分Ｍ３と凸部Ｍ４の表面を含む。従って、棒状化粧料Ｍの幅は、対向部分Ｍ３及び凸部Ｍ４の隣接位置から塗布面である湾曲部Ｍ２及び頂部Ｍ１に向かうに従って狭くなっている。
【００３６】
また、凸部Ｍ４は、凹部３ｊに保持される部位であり、一対の対向部分Ｍ３の間から凹部３ｊに突出している。また、棒状化粧料Ｍとホールド部３ｄとの間（凹部３ｊと凸部Ｍ４との間）には隙間が形成されている。この隙間は限りなく小さいことが望ましいが、この隙間により、使用時に棒状化粧料Ｍに側面から力がかかっても棒状化粧料Ｍの振れを抑えて棒状化粧料Ｍが折れづらくなる。
【００３７】
前側から見た状態において、棒状化粧料Ｍの対向部分Ｍ３の幅を幅Ａ（又は単にＡ）、ホールド部３ｄの前端３ｈの幅を幅Ｂ（又は単にＢ）とすると、幅Ａは幅Ｂと略同一である。幅Ａは、前側から棒状化粧料Ｍを見たときにおける棒状化粧料Ｍの前端の最大幅を示しており、幅Ｂは、前側からホールド部３ｄを見たときにおけるホールド部３ｄの前端３ｈの最大幅を示している。具体的には、前側から見たときの一対の第２湾曲部３ｇの幅Ｂが、棒状化粧料Ｍの対向部分Ｍ３の幅Ａと略同一である。「略同一」とは、例えば、棒状化粧料Ｍの幅Ａとホールド部３ｄの幅Ｂとの差（Ｂ−Ａの値、又はＡ−Ｂの値）が０．０ｍｍ以上且つ１．０ｍｍ以下、好ましくは０．０ｍｍ以上且つ０．６ｍｍ以下であることを示している。また、「略同一」とは、棒状化粧料Ｍの幅とホールド部３ｄの幅のうち広い方に対する、棒状化粧料Ｍの幅とホールド部の幅との差の比が２５％以下、好ましくは１０％以上且つ１５％以下、であることを示していてもよい。幅Ｂは、１ｍｍ以上且つ３ｍｍ以下、好ましくは２ｍｍ以上且つ３ｍｍ以下であってもよく、例えば２．５ｍｍである。幅Ａは、１ｍｍ以上且つ３ｍｍ以下、好ましくは２ｍｍ以上且つ３ｍｍ以下であってもよく、例えば２．５ｍｍである。一形態又は他の形態として、棒状化粧料Ｍの幅Ａはホールド部３ｄの前端３ｈの幅Ｂより広くてもよい。
【００３８】
以上のように構成された棒状化粧料繰出容器１において、移動体５を進退させると共に、棒状化粧料Ｍが出没するように棒状化粧料Ｍの繰り出し及び繰り戻しを行う方法について説明する。まず、図２に示されるキャップＣ１を外した状態で先筒３と容器本体４とを一方向（例えば時計回り）に相対回転すると、容器本体４、バネ部材６及び雌螺子部材７が同期回転する。これにより、雌螺子部材７の雌螺子部７ｅ及び移動体５の螺合突起５ａによって構成された螺合部１０の螺合作用が働いて移動体５が前進する。この移動体５の前進によって棒状化粧料Ｍが先筒３の前端３ｈから出現し、棒状化粧料Ｍの繰り出しが行われる。
【００３９】
また、先筒３と容器本体４を上記一方向の逆方向（例えば反時計回り）に相対回転すると、容器本体４、バネ部材６及び雌螺子部材７が同期回転すると共に、螺合部１０の螺合作用が働いて移動体５が後退する。これにより、移動体５に支持された棒状化粧料Ｍは前端３ｈから没入する。
【００４０】
以上、本実施形態に係る棒状化粧料繰出容器１によれば、図７及び図８に示されるように、先筒３が棒状化粧料Ｍを保持するホールド部３ｄを備えると共に、軸線方向に延在する凹部３ｊがホールド部３ｄにまで延びている。また、棒状化粧料Ｍの外周面には、軸線方向に延在すると共に凹部３ｊに保持される凸部Ｍ４が形成されている。
【００４１】
よって、ホールド部３ｄの凹部３ｊに、棒状化粧料Ｍの凸部Ｍ４が保持されるので、凹部３ｊへの凸部Ｍ４の保持によってホールド部３ｄで棒状化粧料Ｍを強固に保持することができる。従って、どの方向から棒状化粧料Ｍに力がかかっても、凹部３ｊに凸部Ｍ４が保持されることによって棒状化粧料Ｍを強固に保持することができるので、棒状化粧料Ｍの振れを抑えて棒状化粧料Ｍの折損を防止することができる。
【００４２】
また、前側から見た棒状化粧料Ｍの形状は、ホールド部３ｄとの対向部分Ｍ３から離間するに従って先細りする形状とされており、前側から見たときの棒状化粧料Ｍの対向部分Ｍ３の幅Ａが、前側から見たときのホールド部３ｄの幅Ｂと略同一とされている。よって、ホールド部３ｄの幅Ｂが棒状化粧料Ｍの幅Ａと略同一とされていることにより、化粧を施すときにホールド部３ｄを視界に入りにくくすることができる。
【００４３】
従って、ホールド部３ｄが視界に入らないことによって化粧を施す場所が見えやすくなり、使用者に対してストレスを感じさせにくくすることができる。このため、使い勝手を向上させることができる。
【００４４】
（第２実施形態）
次に、第２実施形態に係る棒状化粧料繰出容器について図９を参照しながら説明する。図９は、第２実施形態に係る棒状化粧料繰出容器の先筒２３及び棒状化粧料Ｐを前側から見た状態を示している。第２実施形態は、先筒２３及び棒状化粧料Ｐの構成が第１実施形態と異なっている。以下では、第１実施形態に係る棒状化粧料繰出容器の説明と重複する説明を適宜省略する。
【００４５】
先筒２３は、棒状化粧料Ｐを保持するホールド部２３ｄを備え、ホールド部２３ｄには、軸線方向に延在する凹部２３ｊが形成されている。棒状化粧料Ｐの外周面には、軸線方向に延在すると共に凹部２３ｊに保持される凸部Ｐ４が形成されている。ホールド部２３ｄの凹部２３ｊに棒状化粧料Ｐの凸部Ｐ４が保持されるので、凹部２３ｊへの凸部Ｐ４の保持によってホールド部２３ｄで棒状化粧料Ｐを強固に保持することができる。
【００４６】
前側から見た凸部Ｐ４の形状、及び前側から見た凹部２３ｊの形状は、共に、上底よりも下底が長い等脚台形状とされている。凸部Ｐ４は、棒状化粧料Ｐの幅方向に延びる底面Ｐ４１と、底面Ｐ４１の当該幅方向の両端から棒状化粧料Ｐの頂部Ｍ１側に延びる一対の外側面Ｐ４２とを有する。底面Ｐ４１及び外側面Ｐ４２は、共に平坦状とされている。凹部２３ｊの形状は、凸部Ｐ４の相似形とされている。
【００４７】
図９において、ホールド部２３ｄ（支持部）のガイドは、棒状化粧料Ｐの対向部分Ｍ３及び凸部Ｐ４に接触する凹部２３ｊと、一対の延在部３ｆの表面を含む一対の突出部とを有する。凹部２３ｊは、底面Ｐ４１に対向する平面２３ｊ１と、平面２３ｊ１の当該幅方向の両端から頂部Ｍ１側に延びる一対の内側面２３ｊ２とを有する。凸部Ｐ４の凹部２３ｊに入り込んだ部分の幅Ｄは、凹部２３ｊの開口部２３ｊ３の幅Ｅよりも広い。ここで、「凸部の凹部に入り込んだ部分の幅」とは、例えば、凹部２３ｊに入り込んだ凸部Ｐ４の部分であって、開口部２３ｊ３よりも凹部２３ｊの奥側に位置する部分を示している。開口部２３ｊ３は、凹部２３ｊの縁の部分を示している。前述した突出部は、延在部３ｆの表面と中央凹部（平面２３ｊ１）との間に位置する内側面２３ｊ２を有し、一対の内側面２３ｊ２間の間隔は平面２３ｊ１から延在部３ｆの表面（上面）に向かうに従って狭くなっている。更に、突出部は、中央凹部である平面２３ｊ１に対して略垂直に延びており、各突出部の幅は、平面２３ｊ１から延在部３ｆの表面に向かうに従って広くなっている。当該突出部は、中央凹部である平面２３ｊ１に対して略垂直に延びると共に内側面２３ｊ２の反対側を向く外面３ｉを有する。
【００４８】
以上、第２実施形態に係る棒状化粧料繰出容器において、先筒２３の内周面には、軸線方向に延在する凹部２３ｊが形成されており、棒状化粧料Ｐの外周面には、軸線方向に延在すると共に凹部２３ｊに保持される凸部Ｐ４が形成されており、前側から見たときにおける凸部Ｐ４の凹部２３ｊに入り込んだ部分の幅Ｄは、前側から見たときにおける凹部２３ｊの開口部２３ｊ３の幅Ｅよりも広い。
【００４９】
従って、棒状化粧料Ｐに対し、凹部２３ｊから棒状化粧料Ｐが抜ける方向（図９の上方向）への力が働いたときに、凹部２３ｊの内側面２３ｊ２に凸部Ｐ４の外側面Ｐ４２が接触することにより、凹部２３ｊからの凸部Ｐ４の抜け及び折損をより確実に抑制することができる。すなわち、凹部２３ｊから凸部Ｐ４が抜ける方向への力に対する棒状化粧料Ｐの耐性を高めることができるので、棒状化粧料Ｐの折損を一層確実に抑制することができる。
【００５０】
更に、凹部２３ｊの内側面２３ｊ２、及び凸部Ｐ４の外側面Ｐ４２が共に平面であることにより、内側面２３ｊ２に対する外側面Ｐ４２の接触面積を大きくすることができる。従って、棒状化粧料Ｐにかかる応力を低減させることができるので、棒状化粧料Ｐの折損を更に確実に抑制することができる。
【００５１】
以上、本発明に係る棒状化粧料繰出容器の実施形態について説明したが、本発明は、前述の実施形態に限られるものではなく、請求項に記載した要旨を変更しない範囲で変形してもよい。すなわち、棒状化粧料繰出容器１を構成する各部品の形状及び配置態様は、上記の要旨を変更しない範囲で適宜変更可能である。
【００５２】
例えば、前述の実施形態では、凹部３ｊを有するホールド部３ｄと、凸部Ｍ４を有する棒状化粧料Ｍとを備える例について説明した。しかしながら、例えば図１０に示されるように、ホールド部３ｄ及び棒状化粧料Ｍに代えて、凸部１３ｊを有するホールド部１３ｄと、凹部Ｎ４を有する棒状化粧料Ｎとを備えていてもよい。この場合も、前側から見たときの棒状化粧料Ｎの対向部分Ｍ３の幅Ａが、前側から見たときのホールド部１３ｄの幅Ｂと略同一であることにより、前述の実施形態と同様の効果が得られる。また、棒状化粧料Ｎの接触面は溝（例えば凹部Ｎ４）を有し、支持部を成すホールド部１３ｄの支持面は、その断面形状がＴ字状となるように棒状化粧料Ｎの凹部Ｎ４の中で突出しホールド部１３ｄの中央に沿って延びる舌状突起（例えば凸部１３ｊ）を有する。すなわち、支持面に沿って延びるガイドは、容器本体４の軸に沿って平行に延びる中央部（例えば凸部１３ｊの頂面）を有し、中央部のそれぞれの側部に位置すると共に中央部に対する段差を有する側方段差部（棒状化粧料Ｎの対向部分Ｍ３）に沿って延びている。側方段差部は、支持部がＴ字状の断面を有するように中央部の表面（例えば、凸部１３ｊの頂面）に対して段差を有する部分である。
【００５３】
また、前述の実施形態では、図９に示されるように、平坦状の内側面２３ｊ２を有する凹部２３ｊを備えた先筒２３、及び、平坦状の外側面Ｐ４２を有する凸部Ｐ４を備えた棒状化粧料Ｐについて説明した。しかしながら、例えば図１１に示されるように、曲面状の内側面３３ｊ２を有する凹部３３ｊを備えた先筒３３、及び、曲面状の外側面Ｒ４２を有する凸部Ｒ４を備えた棒状化粧料Ｒ、であってもよい。
【００５４】
この棒状化粧料Ｒ及び先筒３３においても、前側から見たときにおける凸部Ｒ４の凹部３３ｊに入り込んだ部分の幅Ｄが、前側から見たときにおける凹部３３ｊの開口部３３ｊ３の幅Ｅよりも広い。よって、棒状化粧料Ｒに対し、凹部３３ｊから棒状化粧料Ｒが抜ける方向（図１１の上方向）への力が働いたときに、凹部３３ｊの内側面３３ｊ２に凸部Ｒ４の外側面Ｒ４２が接触する。従って、凹部３３ｊからの凸部Ｒ４の抜けをより確実に抑制し、凹部３３ｊから凸部Ｒ４が抜ける方向への棒状化粧料Ｒの耐性を高めることができるので、棒状化粧料Ｒの折損を一層確実に抑制することができる。この図１１の例、及び図９の例に示されるように、凹部の内側面の形状、及び凸部の外側面の形状は適宜変更可能である。図１２は、前端３ｈから見た他の実施形態のホールド部４３ｄ（支持部）及び棒状化粧料Ｓを示す図である。棒状化粧料Ｓは長円状の断面を有する。棒状化粧料Ｓの断面の長手方向の長さＬは、例えば４ｍｍ以上且つ５ｍｍ以下であり、一例として４．６ｍｍである。棒状化粧料Ｓの幅Ｇは、例えば１ｍｍ以上且つ２ｍｍ以下であり、好ましく１．５ｍｍ以上且つ２ｍｍ以下である。端面Ｓ１の長円断面は、ホールド部４３ｄの反対側に平面状の面Ｓ２を有する端面Ｓ１を形成するように切断されたものである。棒状化粧料Ｓは、ホールド部４３ｄと塗布面Ｓ３との反対側で接触する接触面Ｓ４を有する外面Ｓ４２を備える。棒状化粧料Ｓの塗布面Ｓ３は面Ｓ２を含む。ホールド部４３ｄの形状は、棒状化粧料Ｓの接触面Ｓ４に接触するように、例えば、Ｖ字状若しくはＵ字状、又はこれらに類似した形状とされていてもよい。ホールド部４３ｄは、棒状化粧料Ｓの接触面Ｓ４に係合する内面４３ｊ２と、内面４３ｊ２の反対側を向く外面３ｉとを有する。ホールド部４３ｄの厚さは、内面４３ｊ２と外面３ｉとの間の距離によって画定される。ホールド部４３ｄは、谷部３ｋと、延在部３ｆの近傍に位置する端部３ｍとを有する。ホールド部４３ｄの端部３ｍの厚さ３ｎ１は、谷部３ｋの厚さ３ｎ２よりも薄い。内面４３ｊ２は、谷部３ｋと端部３ｍとの間に平面を有する。厚さ３ｎ１は、例えば、０．５ｍｍ以上且つ０．８ｍｍ以下であり、好ましくは０．６ｍｍ以上且つ０．７ｍｍ以下である。厚さ３ｎ２は、例えば、０．５ｍｍ以上且つ２ｍｍ以下であり、好ましくは１ｍｍ以上且つ１．３ｍｍ以下である。ホールド部４３ｄの幅Ｆは、２ｍｍ以上且つ３ｍｍ以下であってもよく、好ましくは１．５ｍｍ以上且つ２．５ｍｍ以下であってもよい。実施形態において、ホールド部４３ｄの幅Ｆは、棒状化粧料Ｓの幅Ｇと実質同一であり、例えば、幅Ｆと幅Ｇとの差は、１ｍｍ以下であってもよい。また、幅Ｆ及び幅Ｇのうち大きい方に対する、幅Ｆと幅Ｇとの差の比は、２５％以下、好ましくは１０％以上且つ１５％以下であってもよい。実施形態では、棒状化粧料Ｓに係合するホールド部４３ｄの箇所は、少なくとも１つの平面を有してもよい。また、実施形態では、棒状化粧料Ｓに係合するホールド部４３ｄの箇所は、少なくとも２つの平面を有していてもよい。
【００５５】
また、前述の実施形態では、図８に示されるように、頂部Ｍ１、湾曲部Ｍ２及び対向部分Ｍ３が楕円状となる棒状化粧料Ｍについて説明したが、棒状化粧料Ｍの形状は適宜変更可能である。例えば、頂部Ｍ１、湾曲部Ｍ２及び対向部分Ｍ３に相当する部分が、三角形状、放物線状、長円状、円弧状、又は多角形状であってもよく、要は、対向部分Ｍ３から離間するに従って先細りする形状であればよい。このように、棒状化粧料の形状は特に限定されない。
【００５６】
また、前述の実施形態では、図７に示されるように、第１湾曲部３ｅ、延在部３ｆ及び第２湾曲部３ｇを有するホールド部３ｄを備えた例について説明した。しかしながら、ホールド部３ｄの形状は適宜変更可能である。また、第１湾曲部３ｅ、延在部３ｆ及び第２湾曲部３ｇの各部の長さ及び形状は適宜変更可能である。特に、前述した実施形態では、ホールド部３ｄが軸線方向に長く延びる場合であっても、確実に棒状化粧料Ｍの保持力を確保することができるので、ホールド部３ｄが長い場合（例えば、ホールド部３ｄの軸線方向の長さが１５ｍｍ以上である場合）に特に有効である。
【００５７】
また、前述の実施形態では、先筒３及び容器本体４を含む容器２、移動体５、バネ部材６、雌螺子部材７、ブラシ部８並びにキャップＣ１，Ｃ２を備える棒状化粧料繰出容器１について説明した。しかしながら、本発明に係る棒状化粧料繰出容器は、例えば、ブラシ部８及びキャップＣ２が省略されていてもよい。更に、容器２、移動体５、バネ部材６及び雌螺子部材７の形状、大きさ及び材料は適宜変更可能である。
【００５８】
また、前述の実施形態では、棒状化粧料Ｍがアイブロウであり、棒状化粧料繰出容器１がアイブロウ繰出容器である例について説明した。しかしながら、本発明に係る棒状化粧料繰出容器は、例えば、アイライナー、コンシーラー又はリップライナー等、種々の棒状化粧料に対しても適用させることができる。
【符号の説明】
【００５９】
１…棒状化粧料繰出容器、２…容器、３，２３，３３…先筒（容器前部）、３ｄ，２３ｄ，４３ｄ…ホールド部、３ｈ…前端、３ｊ，２３ｊ，３３ｊ…凹部、４…容器本体（容器後部）、５…移動体、５ａ…螺合突起（雄螺子）、７…雌螺子部材、７ｅ…雌螺子部（雌螺子）、１０…螺合部、Ｍ，Ｐ，Ｒ…棒状化粧料、Ｍ３…対向部分、Ｍ４，Ｐ４，Ｒ４…凸部、Ａ，Ｂ，Ｄ，Ｅ，Ｆ，Ｇ…幅。
【図１】
2018202144.tif 000003
【図２】
2018202144.tif 000004
【図３】
2018202144.tif 000005
【図４】
2018202144.tif 000006
【図５】
2018202144.tif 000007
【図６】
2018202144.tif 000008
【図７】
2018202144.tif 000009
【図８】
2018202144.tif 000010
【図９】
2018202144.tif 000011
【図１０】
2018202144.tif 000012
【図１１】
2018202144.tif 000013
【図１２】
2018202144.tif 000014